(57)【要約】観察対象に黄色色素などが存在する状況においても酸素飽和度を正確に算出することができるプロセッサ装置及びその作動方法並びに内視鏡システム及びその作動方法を提供する。画像信号取得部５０は、第１波長帯域に対応する第１画像信号と、第２波長帯域に対応する第２画像信号と、第３波長帯域に対応する第３画像信号と、第４波長帯域に対応する第４画像信号と、を取得する。相関関係記憶部７２は、第２画像信号、第３画像信号、及び第４画像信号に基づく特定の演算により得られる第１演算値と、酸素飽和度との相関関係を記憶する。相関関係補正部６２は、第１画像信号、第２画像信号、第３画像信号、及び第４画像信号に基づいて相関関係の補正量を算出し、補正量に基づいて相関関係を補正する。
2016158276.tif 000002
【特許請求の範囲】
【請求項１】
観察対象に含まれる色素のうちヘモグロビン以外の色素の濃度に応じて吸光量が変化する第１波長帯域に対応する第１画像信号と、前記観察対象に含まれるヘモグロビンの酸素飽和度に応じて吸光量が変化する第２波長帯域に対応する第２画像信号と、前記第１波長帯域及び前記第２波長帯域よりも長波長であり、且つ血液量に応じて吸光量が変化する第３波長帯域に対応する第３画像信号と、前記第３波長帯域よりも長波長の第４波長帯域に対応する第４画像信号と、を取得する画像信号取得部と、
前記第２画像信号、前記第３画像信号、及び前記第４画像信号に基づく特定の演算により得られる第１演算値と、前記酸素飽和度との相関関係を記憶する相関関係記憶部と、
前記第１画像信号、前記第２画像信号、前記第３画像信号、及び前記第４画像信号に基づいて前記相関関係の補正量を算出し、前記補正量に基づいて前記相関関係を補正する相関関係補正部と、
を備えるプロセッサ装置。
【請求項２】
前記相関関係補正部は、
前記第１画像信号と前記第３画像信号との第１信号比、前記第２画像信号と前記第３画像信号との第２信号比、及び前記第４画像信号と前記第３画像信号との第３信号比に基づいて、前記観察対象の生体内情報を算出する生体内情報算出部と、
予め定められた基準情報と前記生体内情報とに基づいて、前記補正量を算出する補正量算出部と、
前記補正量に基づいて前記相関関係を補正する補正部とを有する請求項１記載のプロセッサ装置。
【請求項３】
前記第１信号比と前記第２信号比に基づく補正用演算により得られる第２演算値を第１軸とし、前記第３信号比を第２軸とする補正用特徴空間において、前記基準情報は基準線に分布し、前記生体内情報は前記基準線と異なる位置にある実測線に分布し、
前記補正量は、前記基準線と前記実測線との差分に基づいて算出される請求項２記載のプロセッサ装置。
【請求項４】
前記基準情報は、前記ヘモグロビン以外の色素の影響が無い場合に得られる情報であって、且つ前記酸素飽和度によって変化しない情報であり、
前記生体内情報は、前記ヘモグロビン以外の色素の濃度に応じて変化する情報であって、且つ前記酸素飽和度に対し一定となる情報である請求項２または３記載のプロセッサ装置。
【請求項５】
前記第１波長帯域は、酸化ヘモグロビンと還元ヘモグロビンの吸光係数が同じである等吸収波長である請求項１ないし４いずれか１項記載のプロセッサ装置。
【請求項６】
前記ヘモグロビン以外の色素は黄色色素である請求項１ないし５いずれか１項記載のプロセッサ装置。
【請求項７】
前記第１波長帯域は４５０±１０ｎｍであり、前記第２波長帯域は４７０±１０ｎｍであり、前記第３波長帯域は５４０±２０ｎｍであり、前記第４波長帯域は６４０±２０ｎｍである請求項１ないし６いずれか１項記載のプロセッサ装置。
【請求項８】
前記画像信号取得部は、前記相関関係を補正するキャリブレーションモードにおいて前記第１画像信号、前記第２画像信号、前記第３画像信号、及び前記第４画像信号を取得し、前記酸素飽和度を算出する酸素飽和度モードにおいて前記第２画像信号、前記第３画像信号、及び前記第４画像信号を取得し、
前記キャリブレーションモードにおいて取得した前記第１画像信号、前記第２画像信号、前記第３画像信号、及び前記第４画像信号に基づいて、前記相関関係補正部において、前記補正量の算出と前記相関関係の補正を行い、
前記酸素飽和度モードにおいて取得した前記第２画像信号、前記第３画像信号、及び前記第４画像信号に基づいて、補正済みの相関関係を参照して、酸素飽和度算出部において、前記酸素飽和度を算出する請求項１ないし７いずれか１項記載のプロセッサ装置。
【請求項９】
請求項１ないし８いずれか１項記載のプロセッサ装置を備える内視鏡システムにおいて、
前記第１波長帯域の光を発する第１半導体光源、前記第２波長帯域の光を発する第２半導体光源、前記第３波長帯域の光を発する第３半導体光源、及び前記第４波長帯域の光を発する第４半導体光源を有する光源装置を備える内視鏡システム。
【請求項１０】
請求項１ないし８いずれか１項記載のプロセッサ装置を備える内視鏡システムにおいて、
白色光を発する広帯域光源と、
前記白色光のうち前記第１波長帯域の光を透過させる第１フィルタ、前記白色光のうち前記第２波長帯域の光を透過させる第２フィルタ、前記白色光のうち前記第３波長帯域の光を透過させる第３フィルタ、及び前記白色光のうち前記第４波長帯域の光を透過させる第４フィルタが設けられた回転フィルタとを有する光源装置を備える内視鏡システム。
【請求項１１】
画像信号取得部が、観察対象に含まれる色素のうちヘモグロビン以外の色素の濃度に応じて吸光量が変化する第１波長帯域に対応する第１画像信号と、前記観察対象に含まれるヘモグロビンの酸素飽和度に応じて吸光量が変化する第２波長帯域に対応する第２画像信号と、前記第１波長帯域及び前記第２波長帯域よりも長波長であり、且つ血液量に応じて吸光量が変化する第３波長帯域に対応する第３画像信号と、前記第３波長帯域よりも長波長の第４波長帯域に対応する第４画像信号と、を取得する第１画像信号取得ステップと、
相関関係補正部が、前記第２画像信号、前記第３画像信号、及び前記第４画像信号に基づく特定の演算により得られる第１演算値と前記酸素飽和度との相関関係の補正量を、前記第１画像信号、前記第２画像信号、前記第３画像信号、及び前記第４画像信号に基づいて算出し、前記補正量に基づいて前記相関関係を補正する相関関係補正ステップと、
を有するプロセッサ装置の作動方法。
【請求項１２】
前記第１画像信号取得ステップでは、前記画像信号取得部が、前記相関関係を補正するキャリブレーションモードにおいて前記第１画像信号、前記第２画像信号、前記第３画像信号、及び前記第４画像信号を取得し、
前記相関関係補正ステップでは、前記相関関係補正部が、前記キャリブレーションモードにおいて取得した前記第１画像信号、前記第２画像信号、前記第３画像信号、及び前記第４画像信号に基づいて、前記補正量の算出と前記相関関係の補正を行う請求項１１記載のプロセッサ装置の作動方法において、
前記画像信号取得部が、前記酸素飽和度を算出する酸素飽和度モードにおいて前記第２画像信号、前記第３画像信号、及び前記第４画像信号を取得する第２画像信号取得ステップと、
酸素飽和度算出部が、前記酸素飽和度モードにおいて取得した前記第２画像信号、前記第３画像信号、及び前記第４画像信号に基づいて、補正済みの相関関係を参照して、前記酸素飽和度を算出する酸素飽和度算出ステップとを有するプロセッサ装置の作動方法。
【請求項１３】
光源装置が、観察対象に含まれる色素のうちヘモグロビン以外の色素の濃度に応じて吸光量が変化する第１波長帯域の光と、前記観察対象に含まれるヘモグロビンの酸素飽和度に応じて吸光量が変化する第２波長帯域の光と、前記第１波長帯域及び前記第２波長帯域よりも長波長であり、且つ血液量に応じて吸光量が変化する第３波長帯域の光と、前記第３波長帯域よりも長波長の第４波長帯域の光とを、順次発する発光ステップと、
画像信号取得部が、前記第１波長帯域に対応する第１画像信号と、前記第２波長帯域に対応する第２画像信号と、前記第３波長帯域に対応する第３画像信号と、前記第４波長帯域に対応する第４画像信号と、を取得する第１画像信号取得ステップと、
相関関係補正部が、前記第２画像信号、前記第３画像信号、及び前記第４画像信号に基づく特定の演算により得られる第１演算値と前記酸素飽和度との相関関係の補正量を、前記第１画像信号、前記第２画像信号、前記第３画像信号、及び前記第４画像信号に基づいて算出し、前記補正量に基づいて前記相関関係を補正する相関関係補正ステップと、
を有する内視鏡システムの作動方法。
【請求項１４】
前記第１画像信号取得ステップでは、前記画像信号取得部が、前記相関関係を補正するキャリブレーションモードにおいて前記第１画像信号、前記第２画像信号、前記第３画像信号、及び前記第４画像信号を取得し、
前記相関関係補正ステップでは、前記相関関係補正部が、前記キャリブレーションモードにおいて取得した前記第１画像信号、前記第２画像信号、前記第３画像信号、及び前記第４画像信号に基づいて、前記補正量の算出と前記相関関係の補正を行う請求項１３記載の内視鏡システムの作動方法において、
前記画像信号取得部が、前記酸素飽和度を算出する酸素飽和度モードにおいて前記第２画像信号、前記第３画像信号、及び前記第４画像信号を取得する第２画像信号取得ステップと、
酸素飽和度算出部が、前記酸素飽和度モードにおいて取得した前記第２画像信号、前記第３画像信号、及び前記第４画像信号に基づいて、補正済みの相関関係を参照して、前記酸素飽和度を算出する酸素飽和度算出ステップとを有する内視鏡システムの作動方法。
【発明の詳細な説明】
【技術分野】
【０００１】
本発明は、観察対象の酸素飽和度を算出するプロセッサ装置及びその作動方法並びに内視鏡システム及びその作動方法に関する。
【背景技術】
【０００２】
医療分野においては、光源装置、内視鏡、及びプロセッサ装置を備える内視鏡システムを用いて診断することが一般的になっている。特に、単に観察対象を撮像するだけでなく、観察対象に照射する照明光の波長を工夫したり、観察対象を撮像して得た画像信号に分光推定処理等の信号処理を施したりすることによって、血管や腺管構造等の特定の組織や構造を強調した観察画像を得る内視鏡システムが普及している。【０００３】
また、近年においては、観察対象を撮像して得られる画像信号に基づいて生体機能情報を得る内視鏡システムもある。例えば、血中ヘモグロビンの酸素飽和度を用いた病変部の診断が行われつつある。酸素飽和度を取得する方法としては、例えば、特許文献１に示すように、酸化ヘモグロビンと還元ヘモグロビンの吸光係数が異なる波長帯域の光を観察対象に照射して得られる画像信号を少なくとも含む複数の画像信号と酸素飽和度との相関関係を用いて、酸素飽和度を算出する方法がある。【０００４】
上記のような複数の画像信号と酸素飽和度との相関関係については、食道、胃、大腸などの各種部位や、男女、大人と子供などの患者の違いなどの様々な要因によって、異なる場合がある。これに対して、特許文献１では、実際に酸素飽和度による体内の観察を行う前に、観察対象の中でも正常部を撮像するプレ撮影を行って、酸素飽和度をプレ測定している。そして、プレ測定した酸素飽和度と、正常部における酸素飽和度の基準値（例えば、７０％）との差分を算出し、この算出した差分に基づいて相関関係を補正している。このような相関関係の補正を行うことにより、部位や患者の影響を受けることなく正確に酸素飽和度を算出することが可能となる。
【先行技術文献】
【特許文献】
【０００５】
【特許文献１】特開２０１３−２２３４１号公報（特許５４２６６２０号公報）
【発明の概要】
【発明が解決しようとする課題】
【０００６】
特許文献１では、正常部における酸素飽和度の基準値については、７０％などの一定の値に定めている。しかしながら、この正常部における酸素飽和度の基準値についても、各種部位や患者の違いによって異なることがある。また、特許文献１では、ビリルビンやステルコビリン等の黄色（あるいは黄褐色）の色素を含む粘液等の洗浄を行ってから、相関関係の補正を行っている。しかしながら、黄色色素等の粘液等を完全に洗浄することができない場合もあり、この場合には、相関関係の補正を行っても、正確に酸素飽和度を算出することが難しい。【０００７】
本発明は、各種部位や患者が異なる場合の他、観察対象に黄色色素などが存在する状況においても、酸素飽和度を正確に算出することができるプロセッサ装置及びその作動方法並びに内視鏡システム及びその作動方法を提供することを目的とする。
【課題を解決するための手段】
【０００８】
本発明のプロセッサ装置は、観察対象に含まれる色素のうちヘモグロビン以外の色素の濃度に応じて吸光量が変化する第１波長帯域に対応する第１画像信号と、観察対象に含まれるヘモグロビンの酸素飽和度に応じて吸光量が変化する第２波長帯域に対応する第２画像信号と、第１波長帯域及び第２波長帯域よりも長波長であり、且つ血液量に応じて吸光量が変化する第３波長帯域に対応する第３画像信号と、第３波長帯域よりも長波長の第４波長帯域に対応する第４画像信号と、を取得する画像信号取得部と、第２画像信号、第３画像信号、及び第４画像信号に基づく特定の演算により得られる第１演算値と、酸素飽和度との相関関係を記憶する相関関係記憶部と、第１画像信号、第２画像信号、第３画像信号、及び第４画像信号に基づいて相関関係の補正量を算出し、補正量に基づいて相関関係を補正する相関関係補正部と、を備える。【０００９】
相関関係補正部は、第１画像信号と第３画像信号との第１信号比、第２画像信号と第３画像信号との第２信号比、及び第４画像信号と第３画像信号との第３信号比に基づいて、観察対象の生体内情報を算出する生体内情報算出部と、予め定められた基準情報と生体内情報とに基づいて、補正量を算出する補正量算出部と、補正量に基づいて相関関係を補正する補正部とを有することが好ましい。【００１０】
第１信号比と第２信号比に基づく補正用演算により得られる第２演算値を第１軸とし、第３信号比を第２軸とする補正用特徴空間において、基準情報は基準線に分布し、生体内情報は基準線と異なる位置にある実測線に分布し、補正量は、基準線と実測線との差分に基づいて算出されることが好ましい。【００１１】
基準情報は、ヘモグロビン以外の色素の影響が無い場合に得られる情報であって、且つ酸素飽和度によって変化しない情報であり、生体内情報は、ヘモグロビン以外の色素の濃度に応じて変化する情報であって、且つ酸素飽和度に対し一定となる情報であることが好ましい。【００１２】
第１波長帯域は、酸化ヘモグロビンと還元ヘモグロビンの吸光係数が同じである等吸収波長であることが好ましい。ヘモグロビン以外の色素は黄色色素であることが好ましい。第１波長帯域は４５０±１０ｎｍであり、第２波長帯域は４７０±１０ｎｍであり、第３波長帯域は５４０±２０ｎｍであり、第４波長帯域は６４０±２０ｎｍであることが好ましい。【００１３】
画像信号取得部は、相関関係を補正するキャリブレーションモードにおいて第１画像信号、第２画像信号、第３画像信号、及び第４画像信号を取得し、酸素飽和度を算出する酸素飽和度モードにより第２画像信号、第３画像信号、及び第４画像信号を取得し、キャリブレーションモードにおいて取得した第１画像信号、第２画像信号、第３画像信号、及び第４画像信号に基づいて、相関関係補正部において、補正量の算出と相関関係の補正を行い、酸素飽和度モードにおいて取得した第２画像信号、第３画像信号、及び第４画像信号に基づいて、補正済みの相関関係を参照して、酸素飽和度算出部において、酸素飽和度を算出することが好ましい。【００１４】
本発明の内視鏡システムは、上記記載の本発明のプロセッサ装置を備えており、第１波長帯域の光を発する第１半導体光源、第２波長帯域の光を発する第２半導体光源、第３波長帯域の光を発する第３半導体光源、及び第４波長帯域の光を発する第４半導体光源を有する光源装置を備える。【００１５】
本発明の内視鏡システムは、上記記載の本発明のプロセッサ装置を備えており、白色光を発する広帯域光源と、白色光のうち第１波長帯域の光を透過させる第１フィルタ、白色光のうち第２波長帯域の光を透過させる第２フィルタ、白色光のうち第３波長帯域の光を透過させる第３フィルタ、及び白色光のうち第４波長帯域の光を透過させる第４フィルタが設けられた回転フィルタとを有する光源装置を備える。【００１６】
本発明のプロセッサ装置の作動方法は、画像信号取得部が、観察対象に含まれる色素のうちヘモグロビン以外の色素の濃度に応じて吸光量が変化する第１波長帯域に対応する第１画像信号と、観察対象に含まれるヘモグロビンの酸素飽和度に応じて吸光量が変化する第２波長帯域に対応する第２画像信号と、第１波長帯域及び第２波長帯域よりも長波長であり、且つ血液量に応じて吸光量が変化する第３波長帯域に対応する第３画像信号と、第３波長帯域よりも長波長の第４波長帯域に対応する第４画像信号と、を取得するステップと、相関関係補正部が、第２画像信号、第３画像信号、及び第４画像信号に基づく特定の演算により得られる第１演算値と酸素飽和度との相関関係の補正量を、第１画像信号、第２画像信号、第３画像信号、及び第４画像信号に基づいて算出し、補正量に基づいて相関関係を補正するステップと、を有する。【００１７】
第１画像信号取得ステップでは、画像信号取得部が、相関関係を補正するキャリブレーションモードにおいて第１画像信号、第２画像信号、第３画像信号、及び第４画像信号を取得し、相関関係補正ステップでは、相関関係補正部が、キャリブレーションモードにおいて取得した第１画像信号、第２画像信号、第３画像信号、及び第４画像信号に基づいて、補正量の算出と相関関係の補正を行う上記記載の本発明プロセッサ装置の作動方法において、画像信号取得部が、酸素飽和度を算出する酸素飽和度モードにおいて第２画像信号、第３画像信号、及び第４画像信号を取得する第２画像信号取得ステップと、酸素飽和度算出部が、酸素飽和度モードにおいて取得した第２画像信号、第３画像信号、及び第４画像信号に基づいて、補正済みの相関関係を参照して、酸素飽和度を算出する酸素飽和度算出ステップとを有することが好ましい。【００１８】
本発明の内視鏡システムの作動方法は、光源装置が、観察対象に含まれる色素のうちヘモグロビン以外の色素の濃度に応じて吸光量が変化する第１波長帯域の光と、観察対象に含まれるヘモグロビンの酸素飽和度に応じて吸光量が変化する第２波長帯域の光と、第１波長帯域及び第２波長帯域よりも長波長であり、且つ血液量に応じて吸光量が変化する第３波長帯域の光と、第３波長帯域よりも長波長の第４波長帯域の光とを、順次発するステップと、画像信号取得部が、第１波長帯域に対応する第１画像信号と、第２波長帯域に対応する第２画像信号と、第３波長帯域に対応する第３画像信号と、第４波長帯域に対応する第４画像信号と、を取得するステップと、相関関係補正部が、第２画像信号、第３画像信号、及び第４画像信号に基づく特定の演算により得られる第１演算値と酸素飽和度との相関関係の補正量を、第１画像信号、第２画像信号、第３画像信号、及び第４画像信号に基づいて算出し、補正量に基づいて相関関係を補正するステップと、を有する。【００１９】
第１画像信号取得ステップでは、画像信号取得部が、相関関係を補正するキャリブレーションモードにおいて第１画像信号、第２画像信号、第３画像信号、及び第４画像信号を取得し、相関関係補正ステップでは、相関関係補正部が、キャリブレーションモードにおいて取得した第１画像信号、第２画像信号、第３画像信号、及び第４画像信号に基づいて、補正量の算出と相関関係の補正を行う上記記載の本発明の内視鏡システムの作動方法において、画像信号取得部が、酸素飽和度を算出する酸素飽和度モードにおいて第２画像信号、第３画像信号、及び第４画像信号を取得する第２画像信号取得ステップと、酸素飽和度算出部が、酸素飽和度モードにおいて取得した第２画像信号、第３画像信号、及び第４画像信号に基づいて、補正済みの相関関係を参照して、酸素飽和度を算出する酸素飽和度算出ステップとを有することが好ましい。
【発明の効果】
【００２０】
本発明によれば、各種部位や患者が異なる場合の他、観察対象に黄色色素などが存在する状況においても、酸素飽和度を正確に算出することができる。
【図面の簡単な説明】
【００２１】
【図１】内視鏡システムの外観図である。
【図２】第１実施形態の内視鏡システムの機能を示すブロック図である。
【図３】撮像センサの分光感度を示すグラフである。
【図４】通常モードにおける照明光の発光及び観察対象の撮像を示す説明図である。
【図５】酸素飽和度モードにおける照明光の発光及び観察対象の撮像を示す説明図である。
【図６】キャリブレーションモードにおける照明光の発光及び観察対象の撮像を示す説明図である。
【図７】酸素飽和度画像生成部の機能を示すブロック図である。
【図８】縦軸がLog（Ｂ１／Ｇ２）、横軸がLog（Ｒ２／Ｇ２）である第１特徴空間における酸素飽和度の等値線の位置を示すグラフである。
【図９】酸化ヘモグロビンと還元ヘモグロビンの吸光係数を示すグラフである。
【図１０】酸素飽和度の算出方法を示す説明図である。
【図１１】相関関係補正部の機能を示すブロック図である。
【図１２】黄色色素の吸光係数を示すグラフである。
【図１３】縦軸が第２演算値、横軸がLog（Ｒｓ／Ｇｒ）である第２特徴空間における基準線と実測線の位置を示すグラフである。
【図１４】本発明における一連の流れを示すフローチャートである。
【図１５】第２実施形態の内視鏡システムの機能を示すブロック図である。
【図１６】回転フィルタの平面図である。
【発明を実施するための形態】
【００２２】
［第１実施形態］
図１において、内視鏡システム１０は、内視鏡１２と、光源装置１４と、プロセッサ装置１６と、モニタ１８と、コンソール１９とを有する。内視鏡１２は、光源装置１４と光学的に接続されるとともに、プロセッサ装置１６と電気的に接続される。内視鏡１２は、観察対象の体内に挿入される挿入部１２ａと、挿入部１２ａの基端部分に設けられた操作部１２ｂと、挿入部１２ａの先端側に設けられた湾曲部１２ｃ及び先端部１２ｄとを有している。湾曲部１２ｃは、操作部１２ｂのアングルノブ１２ｅを操作することにより湾曲動作する。先端部１２ｄは、湾曲部１２ｃの湾曲動作によって所望の方向に向けられる。なお、先端部１２ｄには、観察対象に向けて洗浄液を噴射する噴射口（図示しない）が設けられている。
【００２３】
また、操作部１２ｂには、アングルノブ１２ｅの他、観察モードの切り替え操作に用いるモード切替ＳＷ（モード切替スイッチ）１２ｆと、観察対象の静止画の取得指示に用いられる静止画取得指示部１２ｇとが設けられている。
【００２４】
内視鏡システム１０は、通常モード、酸素飽和度モード、キャリブレーションモードの３つの観察モードを有している。通常モードは、照明光に白色光を用いて観察対象を撮像して得た自然な色合いの画像（以下、通常画像という）をモニタ１８に表示する。酸素飽和度モードは、観察対象を撮像して得られる画像信号と酸素飽和度との相関関係を用いて、観察対象の酸素飽和度を測定するとともに、測定した酸素飽和度を擬似カラーなどにより画像化した画像（以下、酸素飽和度画像という）をモニタ１８に表示する。キャリブレーションモードでは、酸素飽和度モードにより酸素飽和度の測定を行う前に観察対象を撮影するプレ撮影を行うとともに、このプレ撮影により得られた画像信号から、酸素飽和度の測定時に用いる相関関係の補正量ΔＤを算出する。また、キャリブレーションモードでは、補正量ΔＤに基づいて、相関関係を補正する。
【００２５】
プロセッサ装置１６は、モニタ１８及びコンソール１９と電気的に接続される。モニタ１８は、観察対象の画像や、観察対象の画像に付帯する情報などを出力表示する。コンソール１９は、機能設定などの入力操作を受け付けるユーザインタフェースとして機能する。なお、プロセッサ装置１６には、画像や画像情報などを記録する外付けの記録部（図示省略）を接続してもよい。
【００２６】
図２において、光源装置１４は、光源２０と、光源２０を制御する光源制御部２１とを備えている。光源２０は、例えば、複数の半導体光源を有し、これらをそれぞれ点灯または消灯し、点灯する場合には各半導体光源の発光量を制御することにより、観察対象を照明する照明光を発する。本実施形態では、光源２０は、BS−ＬＥＤ（Blue Short -wavelength Light Emitting Diode）２０ａ、BL−ＬＥＤ（Blue Long-wavelength Light Emitting Diode）２０ｂ、Ｇ−ＬＥＤ（Green Light Emitting Diode）２０ｃ、及びＲ−ＬＥＤ（Red Light Emitting Diode）２０ｄの４色のＬＥＤを有する。
【００２７】
BS-LED２０ａ（本発明の「第１半導体光源」に対応する）は、波長帯域４５０±１０ｎｍの第１青色光BSを発する。BL-LED２０ｂ（本発明の「第２半導体光源」に対応する）は、波長帯域４７０±１０ｎｍの第２青色光BLを発する。Ｇ−ＬＥＤ２０ｃ（本発明の「第３半導体光源」に対応する）は、波長帯域５４０±１０ｎｍの緑色光Gを発する。Ｒ−ＬＥＤ２０ｄ（本発明の「第４半導体光源」に対応する）は、波長帯域６４０±２０ｎｍの赤色光Ｒを発する。なお、各LED２０ａ〜２０ｄにおける中心波長とピーク波長は、同じであってもよく、異なっても良い。
【００２８】
光源制御部２１は、各ＬＥＤ２０ａ〜２０ｄに対して独立に制御信号を入力することによって、各ＬＥＤ２０ａ〜２０ｄの点灯や消灯、点灯時の発光量などを独立に制御する。光源制御部２１における点灯又は消灯制御は、各モードによって異なっている。通常モードでは、BS−LED２０ａ、G-LED２０ｃ、R-LED２０ｄを同時に点灯することによって、第１青色光BS、緑色光G、赤色光Rを同時に発光する。酸素飽和度モードでは、BL-LED２０ｂの点灯により第２青色光BLを発光する第１測定用発光モードと、BS−LED２０ａ、G-LED２０ｃ、R-LED２０ｄを同時に点灯することによって、第１青色光BS、緑色光G、赤色光Rを同時に発光する第２測定用発光モードを交互に繰り返す。
【００２９】
キャリブレーションモードでは、BS-LED２０ａ、BL-LED２０ｂ、G-LED２０ｃ、R-LED２０ｄを順次点灯することによって、第１青色光BS、第２青色光BL、緑色光G、赤色光Rを順次発光する。このキャリブレーションモードにおいて、第１青色光BSを発光するモードを第１校正用発光モードとし、第２青色光BLを発光するモードを第２校正用発光モードとし、緑色光Gを発光するモードを第３校正用発光モードとし、赤色光Rを発光するモードを第４校正用発光モードとする。
【００３０】
各ＬＥＤ２０ａ〜２０ｄが発する光は、ミラーやレンズなどにより構成される光路結合部２３を介して、ライトガイド２５に入射される。ライトガイド２５は、内視鏡１２及びユニバーサルコード（内視鏡１２と、光源装置１４及びプロセッサ装置１６を接続するコード）に内蔵されている。ライトガイド２５は、ライトガイド２５からの光を、内視鏡１２の先端部１２ｄまで伝搬する。
【００３１】
内視鏡１２の先端部１２ｄには、照明光学系３０ａと撮像光学系３０ｂが設けられている。照明光学系３０ａは照明レンズ３２を有しており、ライトガイド２５によって伝搬した照明光は照明レンズ３２を介して観察対象に照射される。撮像光学系３０ｂは、対物レンズ４２、撮像センサ４４を有している。照明光が照射された観察対象からの光は、対物レンズ４２を介して撮像センサ４４に入射する。これにより、撮像センサ４４に観察対象の像が結像される。
【００３２】
撮像センサ４４は、照明光により照明中の観察対象を撮像するカラー撮像センサである。撮像センサ４４の各画素には、Ｂ（青色）カラーフィルタを有するB画素（青色画素）、Ｇ（緑色）カラーフィルタを有するG画素（緑色画素）、Ｒ（赤色）カラーフィルタを有するR画素（赤色画素）のいずれかが設けられている。図３に示すように、Bカラーフィルタは、主として青色帯域の光、具体的には、波長帯域が３８０〜５６０ｎｍの光を透過させる。透過率が最大となるピーク波長は４６０〜４７０nm付近に存在する。Gカラーフィルタは、主として緑色帯域の光、具体的には、波長帯域が４５０〜６３０ｎｍの光を透過させる。Rカラーフィルタは、主として赤色帯域の光、具体的には５８０〜７６０nmの光を透過させる。
【００３３】
撮像センサ４４としては、ＣＣＤ（Charge Coupled Device）撮像センサやＣＭＯＳ（Complementary Metal-Oxide Semiconductor）撮像センサを利用可能である。また、原色の撮像センサ４４の代わりに、Ｃ（シアン）、Ｍ（マゼンタ）、Ｙ（イエロー）及びＧ（グリーン）の補色フィルタを備えた補色撮像センサを用いても良い。補色撮像センサを用いる場合には、ＣＭＹＧの４色の画像信号が出力されるので、補色−原色色変換によって、ＣＭＹＧの４色の画像信号をＲＧＢの３色の画像信号に変換することにより、撮像センサ４４と同様のＲＧＢ各色の画像信号を得ることができる。
【００３４】
撮像センサ４４は、撮像制御部４５によって駆動制御される。撮像制御部４５における制御は、各モードによって異なっている。図４に示すように、通常モードでは、撮像制御部４５は、第１青色光BS、緑色光G、及び赤色光Rにより照明中の観察対象を１フレーム毎に撮像するように、撮像センサ４４を制御する。これにより、撮像センサ４４のB画素からBｃ画像信号が出力され、G画素からGｃ画像信号が出力され、R画素からRc画像信号が出力される。
【００３５】
図５に示すように、酸素飽和度モードでは、撮像制御部４５は撮像センサ４４に対する制御により、第１測定用発光モードにおいて第２青色光BLで照明中の観察対象を１フレーム分撮像する第１測定用撮像モードと、第２測定用発光モードにおいて第１青色光BS、緑色光G、及び赤色光Rにより照明中の観察対象を１フレーム分撮像する第２測定用撮像モードとを交互に繰り返すようにする。これにより、第１測定用撮像モード時には、撮像センサ４４のB画素からB1画像信号が出力され、G画素からG１画像信号が出力され、R画素からR１画像信号が出力される。また、第２測定用撮像モード時には、撮像センサ４４のB画素からB２画像信号が出力され、G画素からG２画像信号が出力され、R画素からR２画像信号が出力される。
【００３６】
図６に示すように、キャリブレーションモードでは、撮像制御部４５は撮像センサ４４に対する制御により、第１校正用発光モードにおいて第１青色光BSにより照明中の観察対象を１フレーム分撮像する第１校正用撮像モードと、第２校正用発光モードにおいて第２青色光BLにより照明中の観察対象を１フレーム分撮像する第２校正用撮像モードと、第３校正用発光モードにおいて緑色光Gにより照明中の観察対象を１フレーム分撮像する第３校正用撮像モードと、第４校正用発光モードにおいて赤色光Rにより照明中の観察対象を１フレーム分撮像する第４校正用撮像モードを順次行うようにする。
【００３７】
これにより、第１校正用撮像モード時には、撮像センサ４４のB画素からBｐ画像信号が出力され、G画素からGｐ画像信号が出力され、R画素からRｐ画像信号が出力される。また、第２校正用撮像モード時には、撮像センサ４４のB画素からBｑ画像信号が出力され、G画素からGｑ画像信号が出力され、R画素からRｑ画像信号が出力される。また、第３校正用撮像モード時には、撮像センサ４４のB画素からBｒ画像信号が出力され、G画素からGｒ画像信号が出力され、R画素からRｒ画像信号が出力される。また、第４校正用撮像モード時には、撮像センサ４４のB画素からBｓ画像信号が出力され、G画素からGｓ画像信号が出力され、R画素からRｓ画像信号が出力される。
【００３８】
図２に示すように、ＣＤＳ／ＡＧＣ（Correlated Double Sampling／Automatic Gain Control）回路４６は、撮像センサ４４から得られるアナログの画像信号に相関二重サンプリング（ＣＤＳ）や自動利得制御（ＡＧＣ）を行う。ＣＤＳ／ＡＧＣ回路４６を経た画像信号は、Ａ／Ｄ（Analog／Digital）コンバータ４８により、デジタルの画像信号に変換される。Ａ／Ｄ変換後のデジタル画像信号がプロセッサ装置１６に入力される。
【００３９】
プロセッサ装置１６は、画像信号取得部５０と、ＤＳＰ（Digital Signal Processor）５２と、ノイズ低減部５４と、画像処理切替部５６と、通常画像生成部５８と、酸素飽和度画像生成部６０と、相関関係補正部６２と、映像信号生成部６４とを備えている。画像信号取得部５０は、内視鏡１２から入力される画像信号を受信し、受信した画像信号をＤＳＰ５２に送信する。
【００４０】
ＤＳＰ５２は、受信した画像信号に対して、欠陥補正処理、オフセット処理、ゲイン補正処理、リニアマトリクス処理、ガンマ変換処理、デモザイク処理、及びＹＣ変換処理等の各種信号処理を行う。欠陥補正処理では、撮像センサ４４の欠陥画素の信号が補正される。オフセット処理では、欠陥補正処理を施した画像信号から暗電流成分を除かれ、正確な零レベルを設定される。ゲイン補正処理は、オフセット処理後の各色の画像信号に特定のゲインを乗じることにより各画像信号の信号レベルを整える。ゲイン補正処理後の各色の画像信号には、色再現性を高めるリニアマトリクス処理が施される。
【００４１】
その後、ガンマ変換処理によって、各画像信号の明るさや彩度が整えられる。リニアマトリクス処理後の画像信号には、デモザイク処理（等方化処理，同時化処理とも言う）が施され、補間により各画素の欠落した色の信号を生成される。デモザイク処理によって、全画素がＲＧＢ各色の信号を有するようになる。ＤＳＰ５２は、デモザイク処理後の各画像信号にＹＣ変換処理を施し、輝度信号Ｙと色差信号Ｃｂ及び色差信号Ｃｒをノイズ低減部５４に出力する。
【００４２】
ノイズ低減部５４は、ＤＳＰ５６でデモザイク処理等を施した画像信号に対して、例えば移動平均法やメディアンフィルタ法等によるノイズ低減処理を施す。ノイズを低減した画像信号は、画像処理切替部５６に入力される。
【００４３】
画像処理切替部５６は、設定されているモードによって、ノイズ低減部５４からの画像信号の送信先を、通常画像生成部５８、酸素飽和度画像生成部６０、相関関係補正部６２のいずれかに切り替える。具体的には、通常モードにセットされている場合には、ノイズ低減部５４からの画像信号を通常画像生成部５８に入力する。また、酸素飽和度モードに設定されている場合、ノイズ低減部５４からの画像信号を酸素飽和度画像生成部６０に入力する。また、キャリブレーションモードに設定されている場合、ノイズ低減部５４からの画像信号を相関関係補正部６２に入力する。
【００４４】
通常画像生成部５８は、入力した１フレーム分のＲｃ画像信号、Ｇｃ画像信号、Ｂｃ画像信号に対して、さらに３×３のマトリックス処理、階調変換処理、３次元ＬＵＴ（Look Up Table）処理等の色変換処理を施す。そして、色変換処理済みのＲＧＢ画像データに対して、各種色彩強調処理を施す。この色彩強調処理済みのＲＧＢ画像データに対して、空間周波数強調等の構造強調処理を施す。構造強調処理を施したＲＧＢ画像データは、通常画像として映像信号生成部６４に入力される。
【００４５】
酸素飽和度画像生成部６０は、酸素飽和度モード時に得られる画像信号のうち、Ｂ１画像信号（本発明の「第２画像信号」に対応する）、Ｇ２画像信号（本発明の「第３画像信号」に対応する）、Ｒ２画像信号（本発明の「第４画像信号」に対応する）と酸素飽和度との相関関係を用いて、酸素飽和度を算出する。酸素飽和度の算出方法については後述する。算出した酸素飽和度を疑似カラーなどで画像化した酸素飽和度画像を生成する。この酸素飽和度画像は、映像信号生成部６４に入力される。
【００４６】
相関関係補正部６２は、観察対象の部位や患者の違いの他、黄色色素の影響を無くすために、酸素飽和度の算出の際に用いる相関関係を補正する。具体的には、相関関係補正部６２は、キャリブレーションモード時に得られる画像信号のうち、Ｂｐ画像信号（本発明の「第１画像信号」に対応する）、Ｂｑ画像信号（本発明の「第２画像信号」に対応する）、Ｇｒ画像信号（本発明の「第３画像信号」に対応する）、Ｒｓ画像信号（本発明の「第４画像信号」に対応する）に基づいて、相関関係の補正量ΔＤを算出し、この算出した補正量ΔＤに基づいて相関関係を補正する。相関関係の補正方法については後述する。
【００４７】
映像信号生成部６４は、通常画像生成部５８からの通常画像の画像データ、又は酸素飽和度画像生成部６０からの酸素飽和度画像の画像データを、モニタ１８上においてフルカラーの表示を可能にする映像信号に変換する。変換済みの映像信号はモニタ１８に入力される。これにより、モニタ１８には通常画像または酸素飽和度画像が表示される。
【００４８】
図７に示すように、酸素飽和度画像生成部６０は、信号比算出部７０と、相関関係記憶部７２と、酸素飽和度算出部７４と、画像生成部７６と、を備えている。信号比算出部７０は、酸素飽和度算出部７４で酸素飽和度の算出のために用いる信号比を算出する。具体的には、信号比算出部７０は、Ｂ１画像信号とＧ２画像信号の信号比Ｂ１／Ｇ２と、Ｒ２画像信号とＧ２画像信号の信号比Ｒ２／Ｇ２と、Ｇ２画像信号とＢ２画像信号の信号比Ｇ２／Ｂ２とをそれぞれ画素毎に算出する。
【００４９】
相関関係記憶部７２は、信号比算出部７０が算出する各信号比と、酸素飽和度との相関関係を、ＬＵＴ（Look Up Table）などの記憶手段に記憶している。この相関関係を、縦軸Log（Ｂ１／Ｇ２）、横軸Log（Ｒ２／Ｇ２）で形成される第１特徴空間上で表した場合、図８に示すように、第１特徴空間上において、酸素飽和度が同じ部分を繋ぎあわせた等値線が、ほぼ横軸方向に沿って、形成されている。また、等値線は、酸素飽和度が大きくなるほど、縦軸方向に対して、より下方側に位置している。例えば、酸素飽和度が１００％の等値線８３は、酸素飽和度が０％の等値線８４よりも下方に位置している。
【００５０】
なお、第１特徴空間における等値線の位置及び形状は、光散乱の物理的なシミュレーションによって予め得られる。また、相関関係記憶部７２では、信号比Ｂ１／Ｇ２、Ｒ２／Ｇ２と酸素飽和度との相関関係を記憶しているが、信号比Ｂ１／Ｇ２、Ｒ２／Ｇ２との相関関係に限らず、Ｂ１画像信号、Ｇ２画像信号、Ｒ２画像信号に基づく特定の演算（例えば、差分処理）を行って得られる第１演算値と酸素飽和度との相関関係を記憶するようにしてもよい。
【００５１】
上記相関関係は、図９に示す酸化ヘモグロビン（グラフ８０）や還元ヘモグロビン（グラフ８１）の吸光特性や光散乱特性と密接に関連し合っている。例えば、第２青色光ＢＬの波長帯域４７０±１０ｎｍのように、酸化ヘモグロビンと還元ヘモグロビンの吸光係数の差が大きい波長帯域では、ヘモグロビンの酸素飽和度によって吸光量が変化するため、酸素飽和度の情報を取り扱いやすい。したがって、中心波長４７０nmの第２青色光ＢＬの光に対応するＢ１画像信号を含む信号比Ｂ１／Ｇ２を用いることで、酸素飽和度の算出が可能となる。しかしながら、信号比Ｂ１／Ｇ２は酸素飽和度だけでなく、血液量にも依存度が高い。そこで、信号比Ｂ１／Ｇ２に加えて、主として血液量に依存して変化する信号比Ｒ２／Ｇ２を用いることで、血液量に影響されることなく、酸素飽和度を正確に求めることができる。なお、Ｇ２画像信号に含まれる緑色光の波長帯域５４０±２０ｎｍは、ヘモグロビンの吸光係数が比較的高いため、血液量によって吸光量が変化しやすい波長帯域である。
【００５２】
酸素飽和度算出部７４は、相関関係記憶部７２に記憶した相関関係を参照し、信号比Ｂ１／Ｇ２，Ｒ２／Ｇ２に対応する酸素飽和度を画素毎に算出する。例えば、図１０に示すように、相関関係記憶部７２に記憶した相関関係を参照した場合、特定画素の信号比Ｂ１＊／Ｇ２＊，Ｒ２＊／Ｇ２＊に対応する酸素飽和度は「４０％」である。したがって、酸素飽和度算出部７４は、酸素飽和度を「４０％」と算出する。
【００５３】
なお、信号比Ｂ１／Ｇ２，Ｒ２／Ｇ２が極めて大きくなったり、極めて小さくなったりすることはほとんどない。すなわち、信号比Ｂ１／Ｇ２、Ｒ２／Ｇ２の各値の組み合わせが、酸素飽和度１００％の上限の等値線８３（図８参照）よりも下方に分布したり、反対に、酸素飽和度０％の下限の等値線８４（図８参照）よりも上方に分布したりすることはほとんどない。但し、上限の等値線８３より下方に分布する場合には酸素飽和度を１００％とし、下限の等値線８４より上方に分布する場合には酸素飽和度算出部７４は酸素飽和度を０％とする。また、信号比Ｂ１／Ｇ２，Ｒ２／Ｇ２に対応する点が上限の等値線８３と下限の等値線８４との間に分布しない場合には、その画素における酸素飽和度の信頼度が低いことが分かるように表示をし、酸素飽和度を算出しないようにしても良い。
【００５４】
画像生成部７６は、酸素飽和度算出部７４で算出した酸素飽和度を用いて、酸素飽和度を画像化した酸素飽和度画像を生成する。具体的には、画像生成部７６は、Ｂ２画像信号，Ｇ２画像信号，及びＲ２画像信号を取得し、これらの画像信号に対して酸素飽和度に応じたゲインを画素毎に施す。そして、ゲインを施したＢ２画像信号，Ｇ２画像信号，及びＲ２画像信号を用いてＲＧＢ画像データを生成する。例えば、画像生成部７６は、酸素飽和度が６０％以上の画素ではＢ２画像信号，Ｇ２画像信号，及びＲ２画像信号のいずれにも同じゲイン「１」を乗じる。これに対して、酸素飽和度が６０％未満の画素では、Ｂ２画像信号に対して「１」未満のゲインを乗じ、Ｇ２画像信号及びＲ２画像信号に対しては「１」以上のゲインを乗じる。このゲイン処理後のＢ２画像信号，Ｇ２画像信号，及びＲ２画像信号を用いて生成したＲＧＢ画像データが酸素飽和度画像である。
【００５５】
画像生成部７６が生成した酸素飽和度画像では、高酸素の領域（酸素飽和度が６０〜１００％の領域）では、通常観察画像と同様の色で表される。一方、酸素飽和度が特定値を下回る低酸素の領域（酸素飽和度が０〜６０％の領域）は、通常観察画像とは異なる色（疑似カラー）により表される。
【００５６】
なお、本実施形態では、画像生成部７６は、低酸素の領域のみ疑似カラー化するゲインを乗じているが、高酸素領域でも酸素飽和度に応じたゲインを施し、酸素飽和度画像の全体を疑似カラー化しても良い。また、低酸素領域と高酸素領域を酸素飽和度６０％において分けているがこの境界も任意である。
【００５７】
図１１に示すように、相関関係補正部６２は、生体内情報算出部９０と、補正量算出部９２と、補正部９３とを備えている。生体内情報算出部９０は、入力したＢｐ画像信号、Ｂｑ画像信号、Ｇｒ画像信号、Ｒｓ画像信号から、生体内における黄色色素に関する情報を持ち、且つ酸素飽和度によって影響を受けない生体内情報を算出する。具体的には、Ｂｐ画像信号とＧｒ画像信号の信号比Ｂｐ／Ｇｒ（本発明の「第１信号比」に対応する）を画素毎に算出し、Ｂｑ画像信号とＧｒ画像信号の信号比Ｂｑ／Ｇｒ（本発明の「第２信号比」に対応する）を画素毎に算出し、Ｒｓ画像信号とＧｒ画像信号との信号比Ｒｓ画像信号とＧｒ画像信号の信号比Ｒｓ／Ｇｒ（本発明の「第３信号比」に対応する）を画素毎に算出する。
【００５８】
ここで、信号比Ｂｐ／ＧｒのうちＢｐについては第１青色光ＢＳに対応する画像信号である。この第１青色光ＢＳの波長帯域４５０±１０ｎｍは、図９に示すように、ヘモグロビンの吸光係数が比較的高い青色帯域に属し、且つ酸化ヘモグロビンと還元ヘモグロビンの吸光係数が同じ等吸収波長である。また、第１青色光ＢＳの波長帯域４５０±１０ｎｍは、図１２に示すように、黄色色素の吸光係数が最も高くなる吸収ピーク波長を有していることから、黄色色素の濃度に応じて吸光量が変化しやすい波長帯域である。したがって、信号比Ｂｐ／Ｇｒは、酸素飽和度によって信号値は変化しないものの、黄色色素の濃度や血液量によって信号値が変化する。なお、Ｇｒ画像信号に含まれる緑色光の波長帯域５４０±２０ｎｍは、上記したように、血液量に応じて吸光量が変化しやすい波長帯域である。
【００５９】
信号比Ｂｑ／ＧｒのうちＢｑについては第２青色光ＢＬに対応する画像信号である。この第２青色光ＢＬの波長帯域４７０±１０ｎｍは、上記したように、ヘモグロビンの吸光係数が比較的高い青色帯域に属し、且つ酸化ヘモグロビンと還元ヘモグロビンの吸光係数が異なる異吸収波長である（図９参照）ことから、ヘモグロビンの酸素飽和度によって吸光量が変化しやすい波長帯域である。また、第２青色光ＢＬの中心波長４７０ｎｍは、黄色色素の吸収ピーク波長からはやや吸収係数が低くなるものの、他の波長帯域と比較すると大きな吸収係数を有している（図１２参照）。したがって、信号比Ｂｑ／Ｇｒは、酸素飽和度、黄色色素の濃度、血液量によって信号値が変化する。これに対して、信号比Ｒｓ／Ｇｒについては、酸素飽和度及び黄色色素の濃度によって信号値はほとんど変化せず、血液量によって信号値が変化する。
【００６０】
生体内情報算出部９０は、下記式Aに基づく補正用演算により得られる第２演算値が、酸素飽和度が変化しても一定になるように、φを調整する。このφ調整後の第２演算値と信号比Ｒｓ／Ｇｒからなる情報を、生体内情報とする。この生体内情報は、黄色色素の濃度に応じて変化する情報であり、且つ酸素飽和度によって変化しない情報である。
（式A）第２演算値＝信号比Ｂｐ／Ｇｒ×ｃｏｓφ−信号比Ｂｑ／Ｇｒ×ｓｉｎφ
【００６１】
補正量算出部９２は、予め定められた基準情報と、生体内情報算出部９０により算出した生体内情報とから、補正量ΔＤを算出する。基準情報については、黄色色素が無い状態で得られ、且つ酸素飽和度によって変化しない情報として定められている。具体的には、基準情報は、黄色色素による影響を排除した状態（即ち、黄色色素が無い状態）において、下記式Aに基づく第２演算値が、酸素飽和度が変化しても一定になるように、φを調整したものである。補正量算出部９２を用いる補正量ΔＤの算出については、縦軸が式（A）に基づく第２演算値（＝信号比Ｂｐ／Ｇｒ×ｃｏｓφ−信号比Ｂｑ／Ｇｒ×ｓｉｎφ）で、横軸がLog（Ｒｓ／Ｇｒ）で形成される第２特徴空間（本発明の「補正用特徴空間」に対応する）を用いて、以下説明する。なお、第２特徴空間において、縦軸は本発明の「第１軸」に対応し、横軸は本発明の「第２軸」に対応する。
【００６２】
第２特徴空間上において基準情報と生体内情報を表した場合、図１３に示すように、黄色色素の影響が無い基準情報の分布を示す基準線９４と、黄色色素の影響を受けた生体内情報が分布する実測線９６とは、それぞれ、ほぼ横軸方向にそって形成されている。実測線９６においては、黄色色素の濃度は同じである等濃度線となっている。また、第２特徴空間において、基準線９４は実測線９６よりも上方に位置している。また、第２特徴空間において、黄色色素の影響が大きくなるほど、実測線９６は下方に位置するようになって、基準線９４と実測線９６との差が大きくなる。
【００６３】
補正量算出部９２では、基準線９４と実測線９６との差分ΔＺを算出する。この算出した差分ΔＺに係数αを掛け合わせることによって、補正量ΔＤを算出する（補正量ΔＤ＝差分ΔＺ×係数α）。なお、補正量ΔＤは、Ｂｐ画像信号、Ｂｑ画像信号、Ｇｒ画像信号、Ｒｓ画像信号に対してマトリックス処理と１Ｄ−ＬＵＴ（1 dimensional Look UP Tabel）とを組み合わせた変換処理によって算出してもよい。
【００６４】
補正部９３は、補正量算出部９２を用いて算出した補正量ΔＤに基づいて、相関関係記憶部７２に記憶した相関関係を補正する。具体的には、第１特徴空間において、縦軸のLog（Ｂ１／Ｇ２）の値に対して、補正量ΔＤを加える。これにより、第１特徴空間において、酸素飽和度が同じ部分を繋ぎあわせた等値線が、縦軸Log（Ｂ１／Ｇ２）方向に沿って、移動する。この補正後の相関関係を用いて酸素飽和度を算出することにより、各種部位や患者が異なる場合の他、観察対象上において黄色色素の影響がある状況においても、酸素飽和度を正確に算出することができる
【００６５】
次に、本発明の一連の流れについて、図１４のフローチャートに沿って説明する。モード切替ＳＷ１２ｆを操作して、キャリブレーションモードに設定する。キャリブレーションモードに設定されると、内視鏡１２の先端部１２ｄから洗浄液が観察対象に対して噴射される。これにより、観察対象上の黄色色素などの大部分が除去される。また、各LED２０ａ〜２０ｄの順次点灯により、第１青色光ＢＳ、第２青色光ＢＬ、緑色光Ｇ、赤色光Ｒが順次発光される。これら４色の光は観察対象に照射され、撮像センサ４４によって撮像される。撮像センサから出力される画像信号に基づいて、観察対象の画像がモニタ１８に表示される。
【００６６】
そして、静止画取得指示部１２ｇの操作により、洗浄済みの観察対象のプレ撮影を行い、画像信号を取得する（本発明の「第１画像信号取得ステップ」に対応する）。このプレ撮影により得られた画像信号のうちBp画像信号、Bq画像信号、Gr画像信号、Rｓ画像信号が相関関係補正部６２に送信される。相関関係補正部６２では、生体内情報算出部９０が、Ｂｐ画像信号とＧｒ画像信号の信号比Ｂｐ／Ｇｒを画素毎に算出し、Ｂｑ画像信号とＧｒ画像信号の信号比Ｂｑ／Ｇｒを画素毎に算出し、Ｒｓ画像信号とＧｒ画像信号との信号比Ｒｓ画像信号とＧｒ画像信号の信号比Ｒｓ／Ｇｒを画素毎に算出する。そして、これら３つの信号比Ｂｐ／Ｇｒ、Ｂｑ／Ｇｒ、Ｒｓ／Ｇｒに基づいて、生体内情報を算出する。
【００６７】
補正量算出部９２は、予め定められた基準情報と、生体内情報算出部９０で算出した生体内情報とから、補正量ΔＤを算出する。この算出した補正量ΔＤに基づいて、補正部９３によって、相関関係記憶部７２に記憶した相関関係を補正する。これにより、キャリブレーションモードが完了する。ここで、「補正量ΔＤの算出から相関関係の補正までの処理」については、本発明の「相関関係補正ステップ」に対応している。なお、キャリブレーションモードでは、静止画取得指示部１２ｇの操作によるプレ撮影前においては、第１青色光、緑色光、赤色光の同時発光を行い、通常画像を表示するようにしてもよい。
【００６８】
キャリブレーションモードが完了すると、酸素飽和度モードに自動的に切り替えられる。酸素飽和度モードに切り替えられると、第２青色光ＢＳと、第１青色光ＢＬ、緑色光Ｇ、赤色光Ｒを含む光とが交互に発光され、それぞれの発光毎に撮像が行われる。この撮像により、酸素飽和度の算出に用いられるB1画像信号、G2画像信号、R2画像信号が得られる（本発明の「第２画像信号取得ステップ」に対応する）。次に、B１画像信号とG2画像信号の信号比B１／G２と、R２画像信号とG2画像信号の信号比R2／G2を算出する。そして、補正部９３により補正した相関関係の参照により、信号比B1／G2及びR2／G２に対応する酸素飽和度を算出する（本発明の「酸素飽和度算出ステップ」に対応する）。
【００６９】
［第２実施形態］
第２実施形態では、上記第１実施形態で示した４色のＬＥＤ２０ａ〜２０ｄの代わりに、キセノンランプなどの広帯域光源と回転フィルタを用いて観察対象の照明を行う。また、カラーの撮像センサ４４に代えて、モノクロの撮像センサにより観察対象の撮像を行う。それ以外については、第１実施形態と同様である。
【００７０】
図１５に示すように、第２実施形態の内視鏡システム１００では、光源装置１４において、４色のＬＥＤ２０ａ〜２０ｄに代えて、広帯域光源１０２、回転フィルタ１０４、フィルタ切替部１０５が設けられている。また、撮像光学系３０ｂには、カラーの撮像センサ４４の代わりに、カラーフィルタが設けられていないモノクロの撮像センサ１０６が設けられている。
【００７１】
広帯域光源１０２はキセノンランプ、白色ＬＥＤなどであり、波長域が青色から赤色に及ぶ白色光を発する。回転フィルタ１０４は、内側に設けられた内側フィルタ１０８と、外側に設けられた外側フィルタ１０９とを備えている（図１６参照）。フィルタ切替部１０５は、回転フィルタ１０４を径方向に移動させるものであり、モード切替ＳＷ１２ｆにより通常モードにセットしたときに、回転フィルタ１０４の内側フィルタ１０８を白色光の光路に挿入し、酸素飽和度モード又はキャリブレーションモードにセットしたときに、回転フィルタ１０４の外側フィルタ１０９を白色光の光路に挿入する。
【００７２】
図１６に示すように、内側フィルタ１０８には、周方向に沿って、白色光のうち第１青色光ＢＳを透過させるＢ１フィルタ１０８ａ、白色光のうち緑色光Gを透過させるＧフィルタ１０８ｂ、白色光のうち赤色光Ｒを透過させるＲフィルタ１０８ｃが設けられている。したがって、通常モード時には、回転フィルタ１０４の回転により、第１青色光ＢＳ、緑色光Ｇ、赤色光Ｒが交互に観察対象に照射される。
【００７３】
外側フィルタ１０９には、周方向に沿って、白色光のうち第１青色光ＢＳを透過させるＢ１フィルタ１０９ａ（本発明の「第１フィルタ」に対応する）と、白色光のうち第２青色光ＢＬを透過させるB２フィルタ１０９ｂ（本発明の「第２フィルタ」に対応する）と、白色光のうち緑色光Gを透過させるGフィルタ１０９ｃ（本発明の「第３フィルタ」に対応する）と、白色光のうち赤色光Rを透過させるRフィルタ１０９ｄ（本発明の「第４フィルタ」に対応する）とが設けられている。したがって、酸素飽和度モード又はキャリブレーションモード時には、回転フィルタ１０４が回転することにより、第１青色光ＢＳ、第２青色光ＢＬ、緑色光G、赤色光Rが交互に観察対象に照射される。
【００７４】
内視鏡システム１００では、通常モード時には、第１青色光ＢＳ、緑色光G、及び赤色光Rにより観察対象が照明される毎にモノクロの撮像センサ１０６により観察対象を撮像する。これにより、Bc画像信号、Gc画像信号、及びRc画像信号が得られる。そして、それら３色の画像信号に基づいて、上記第１実施形態と同様の方法により、通常画像が生成される。
【００７５】
一方、酸素飽和度モード時には、第１青色光ＢＳ、第２青色光ＢＬ、緑色光G、及び赤色光Rにより観察対象が照明される毎にモノクロの撮像センサ１０６により観察対象を撮像する。これにより、B２画像信号と、B１画像信号、Ｇ２画像信号、及びＲ２画像信号が得られる。これら４色の画像信号に基づいて、第１実施形態と同様の方法により、酸素飽和度画像の生成が行われる。また、キャリブレーションモード時には、Bp画像信号、Bq画像信号、Gr画像信号、及びRｓ画像信号が得られる。これら４色の画像信号に基づいて、第１実施形態と同様の方法で、相関関係の補正が行われる。
【００７６】
なお、上記実施形態では、キャリブレーションモードにおいて相関関係の補正を行うために、波長帯域が４５０±１０ｎｍの第１青色光ＢＳを用いているが、酸化ヘモグロビンと還元ヘモグロビンの吸光係数が同じ波長帯域であり、且つ、黄色色素の吸光係数が他の波長帯域と比較して大きい波長帯域の光を用いてもよい。例えば、第１青色光ＢＳの代わりに、波長帯域が５００±１０ｎｍの緑色狭帯域光を用いてもよい。
【符号の説明】
【００７７】
１０  内視鏡システム
１２  内視鏡
１２ａ  挿入部
１２ｂ  操作部
１２ｃ  湾曲部
１２ｄ  先端部
１２ｅ  アングルノブ
１２ｆ  モード切替ＳＷ
１２ｇ  静止画取得指示部
１４  光源装置
１６  プロセッサ装置
１８  モニタ
１９  コンソール
２０  光源
２０ａ  ＢＳ−ＬＥＤ
２０ｂ  ＢＬ−ＬＥＤ
２０ｃ  Ｇ−ＬＥＤ
２０ｄ  Ｒ−ＬＥＤ
２１  光源制御部
２３  光路結合部
２５  ライトガイド
３０ａ  照明光学系
３０ｂ  撮像光学系
３２  照明レンズ
４２  対物レンズ
４４  撮像センサ
４５  撮像制御部
４６  ＣＤＳ／ＡＧＣ回路
４８  Ａ／Ｄコンバータ
５０  画像信号取得部
５２  ＤＳＰ
５４  ノイズ低減部
５６  画像処理切替部
５８  通常画像生成部
６０  酸素飽和度画像生成部
６２  相関関係補正部
６４  映像信号生成部
７０  信号比算出部
７２  相関関係記憶部
７４  酸素飽和度算出部
７６  画像生成部
８０  グラフ
８１  グラフ
８３  等値線
８４  等値線
９０  生体内情報算出部
９２  補正量算出部
９３  補正部
９４  基準線
９６  実測線
１０２  広帯域光源
１０４  回転フィルタ
１０５  フィルタ切替部
１０６  撮像センサ
１０８  内側フィルタ
１０８ａ  Ｂ１フィルタ
１０８ｂ  Ｇフィルタ
１０８ｃ  Ｒフィルタ
１０９  外側フィルタ
１０９ａ  Ｂ１フィルタ
１０９ｂ  Ｂ２フィルタ
１０９ｃ  Ｇフィルタ
１０９ｄ  Ｒフィルタ
【図１】
2016158276.tif 000003
【図２】
2016158276.tif 000004
【図３】
2016158276.tif 000005
【図４】
2016158276.tif 000006
【図５】
2016158276.tif 000007
【図６】
2016158276.tif 000008
【図７】
2016158276.tif 000009
【図８】
2016158276.tif 000010
【図９】
2016158276.tif 000011
【図１０】
2016158276.tif 000012
【図１１】
2016158276.tif 000013
【図１２】
2016158276.tif 000014
【図１３】
2016158276.tif 000015
【図１４】
2016158276.tif 000016
【図１５】
2016158276.tif 000017
【図１６】
2016158276.tif 000018
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
観察対象に含まれる色素のうちヘモグロビン以外の色素の濃度に応じて吸光量が変化する第１波長帯域に対応する第１画像信号と、前記観察対象に含まれるヘモグロビンの酸素飽和度に応じて吸光量が変化する第２波長帯域に対応する第２画像信号と、前記第１波長帯域及び前記第２波長帯域よりも長波長であり、且つ血液量に応じて吸光量が変化する第３波長帯域に対応する第３画像信号と、前記第３波長帯域よりも長波長の第４波長帯域に対応する第４画像信号と、を取得する画像信号取得部と、
前記第２画像信号、前記第３画像信号、及び前記第４画像信号に基づく特定の演算により得られる第１演算値と、前記酸素飽和度との相関関係を記憶する相関関係記憶部と、
前記第１画像信号、前記第２画像信号、前記第３画像信号、及び前記第４画像信号に基づいて前記相関関係の補正量を算出し、前記補正量に基づいて前記相関関係を補正する相関関係補正部と、を備え、
前記相関関係補正部は、
前記第１画像信号と前記第３画像信号との第１信号比、前記第２画像信号と前記第３画像信号との第２信号比、及び前記第４画像信号と前記第３画像信号との第３信号比に基づいて、前記観察対象の生体内情報を算出する生体内情報算出部と、
予め定められた基準情報と前記生体内情報とに基づいて、前記補正量を算出する補正量算出部と、
前記補正量に基づいて前記相関関係を補正する補正部とを有するプロセッサ装置。
【請求項２】
前記第１信号比と前記第２信号比に基づく補正用演算により得られる第２演算値を第１軸とし、前記第３信号比を第２軸とする補正用特徴空間において、前記基準情報は基準線に分布し、前記生体内情報は前記基準線と異なる位置にある実測線に分布し、
前記補正量は、前記基準線と前記実測線との差分に基づいて算出される請求項１記載のプロセッサ装置。
【請求項３】
前記基準情報は、前記ヘモグロビン以外の色素の影響が無い場合に得られる情報であって、且つ前記酸素飽和度によって変化しない情報であり、
前記生体内情報は、前記ヘモグロビン以外の色素の濃度に応じて変化する情報であって、且つ前記酸素飽和度に対し一定となる情報である請求項１または２記載のプロセッサ装置。
【請求項４】
前記第１波長帯域は、酸化ヘモグロビンと還元ヘモグロビンの吸光係数が同じである等吸収波長である請求項１ないし３いずれか１項記載のプロセッサ装置。
【請求項５】
前記ヘモグロビン以外の色素は黄色色素である請求項１ないし４いずれか１項記載のプロセッサ装置。
【請求項６】
前記第１波長帯域は４５０±１０ｎｍであり、前記第２波長帯域は４７０±１０ｎｍであり、前記第３波長帯域は５４０±２０ｎｍであり、前記第４波長帯域は６４０±２０ｎｍである請求項１ないし５いずれか１項記載のプロセッサ装置。
【請求項７】
前記画像信号取得部は、前記相関関係を補正するキャリブレーションモードにおいて前記第１画像信号、前記第２画像信号、前記第３画像信号、及び前記第４画像信号を取得し、前記酸素飽和度を算出する酸素飽和度モードにおいて前記第２画像信号、前記第３画像信号、及び前記第４画像信号を取得し、
前記キャリブレーションモードにおいて取得した前記第１画像信号、前記第２画像信号、前記第３画像信号、及び前記第４画像信号に基づいて、前記相関関係補正部において、前記補正量の算出と前記相関関係の補正を行い、
前記酸素飽和度モードにおいて取得した前記第２画像信号、前記第３画像信号、及び前記第４画像信号に基づいて、補正済みの相関関係を参照して、酸素飽和度算出部において、前記酸素飽和度を算出する請求項１ないし６いずれか１項記載のプロセッサ装置。
【請求項８】
請求項１ないし７いずれか１項記載のプロセッサ装置を備える内視鏡システムにおいて、
前記第１波長帯域の光を発する第１半導体光源、前記第２波長帯域の光を発する第２半導体光源、前記第３波長帯域の光を発する第３半導体光源、及び前記第４波長帯域の光を発する第４半導体光源を有する光源装置を備える内視鏡システム。
【請求項９】
請求項１ないし７いずれか１項記載のプロセッサ装置を備える内視鏡システムにおいて、
白色光を発する広帯域光源と、
前記白色光のうち前記第１波長帯域の光を透過させる第１フィルタ、前記白色光のうち前記第２波長帯域の光を透過させる第２フィルタ、前記白色光のうち前記第３波長帯域の光を透過させる第３フィルタ、及び前記白色光のうち前記第４波長帯域の光を透過させる第４フィルタが設けられた回転フィルタとを有する光源装置を備える内視鏡システム。
【国際調査報告】
2016158276.tif 000019
2016158276.tif 000020
2016158276.tif 000021